(57)【要約】【課題】  所定範囲の板厚のパネルを容易に接続でき、所定範囲より薄くともパネルが外れにくく、また接続部から折れ曲がりにくい衝立及び仮設間仕切り又はトイハウスなどの遊具を得ること。【解決手段】  長手方向に連続する断面略Ｕ字状の連結具本体の該断面略Ｕ字状に区画される内側を嵌合部として形成すると共に該嵌合部の内面で対向する双方の面に、それぞれ略板状で軟質の弾発変形可能な粘着質を有する粘着支持部を奥斜め方向に突出形成し、また連結具本体の該略Ｕ字状の外部曲面側の略中央部近傍から連結係止部を突出形成し、さらに連結具本体の粘着支持部が突出又は埋没可能となるように、該粘着支持部に対応する凹部を形成している。【選択図】図１
2010106647.tif 000002
【特許請求の範囲】
【請求項１】
長手方向に連続する断面略Ｕ字状の連結具本体であって、該断面略Ｕ字状に区画される内側を嵌合部として形成すると共に該嵌合部の内面で対向する双方の面に、それぞれ略板状で軟質の弾発変形可能な粘着質を有する粘着支持部を奥斜め方向に突出形成し、また連結具本体の該略Ｕ字状の外部曲面側の略中央部近傍から連結係止部を突出形成したことを特徴とするパネル接続用連結具。
【請求項２】
連結具本体の粘着支持部が突出又は埋没可能となるように、該粘着支持部に対応する凹部を形成したことを特徴とする請求項１記載のパネル接続用連結具。
【発明の詳細な説明】
【技術分野】
【０００１】  本発明は、プラスチック段ボールなどのパネルを接続するために使用する連結具に関する。
【背景技術】
【０００２】  従来、本出願人が出願した種々の板厚、各種材質及び部材違いのパネルに対応して該パネルを連結具本体に接続し、その接続した連結具本体を連結して仮設間仕切りなどに使用するパネルなど板状体の連結具がある。（例えば、特許文献１参照）【０００３】  また、連結部材７に形成された取り付け部１４の板外嵌凹条部１４ｃに間仕切り板６の縁部を嵌入したものをポスト５の嵌合凹状部８に該連結部材７の嵌合凸状部１５を嵌合させて、間仕切りとして組み立てる実施例を示した間仕切りがある。（例えば、特許文献２参照）【０００４】  さらに、連結具８の嵌合部ａにアッパースクリーン５の上コーナー部に嵌合し、その嵌合のとき、アッパースクリーン５のこじれをなくし、また嵌合部８ａの弾性を適度に利かせて、アッパースクリーン５のコーナー部にガタ付きなくきっちりと嵌め込むように、嵌合溝１７の内側面に複数条の突条１８（或いは溝条を形成している）を形成する実施例を示した、アッパースクリーン付き什器並びにこれに使用する連結具がある。（例えば、特許文献３参照）【０００５】  また、従来一般的な使用例として、子供が段ボール箱でよく遊んでいるような、プラスチック段ボールなどのパネルにて、子供が組立てて遊ぶ小さな囲い及びトイハウスなどが、一般市場に提供されている。【０００６】
【特許文献１】特願２００７−２３２０５９号公報
【特許文献２】特開平１０−０６１０７２号公報
【特許文献３】特開２００３−３２５２５８号公報
【発明の開示】
【発明が解決しようとする課題】
【０００７】  本出願人が出願した、特許文献１のパネルなど板状体１８の連結具は、接続する板状体１８などの厚さに対応できるように連結具本体２が変形して対応するが、その対応する変形量に合わせ連結具本体２を若干大きめに設定して強度を維持しているが、その対応するサイズに対して、大きく相違する薄い又は強度が弱い板状体１８を使用する場合、例えばプラスチック段ボール（ほか紙段ボール、カラー段ボール、発泡スチロールの中板にカラーの紙ライナーを貼り付けたスチロール板）などを使用すると、連結具本体２が、それに対して大きすぎ、またデザイン的バランスと対応する板状体１８の強度にもバランスを欠き適合しなかった。【０００８】  そして、またその薄い板状体１８の比較的曲げに弱い材料は、板状体１８と連結具本体２との連結部分の板状体１８が弱く折れ曲がりやすくなり、また連結具本体２の接着支持体３，３に板状体１８を接続接着するのに両面テープなど一般的に知られる接着するための接着層８，８を使用しているので、接着支持体３，３に両面テープを設けるのに製造上の手間と、そして板状体１８を接続して接着するとき剥離紙を剥がす手間とその剥離紙がゴミとなり無駄が多く、環境上、改善の余地があった。【０００９】  よって、比較的薄く弱いパネルなどの板状体１８に使用でき、また連結具と板状体１８のデザイン的バランスと大きさに対応し、且つある程度の板厚の違いにも安定して容易に嵌合接続と粘着固定でき、さらに容易に製造でき、連結作業の効率化、加えて環境に配慮できるように改善した。【００１０】  また、特許文献２の間仕切りは、連結部材７の板外嵌凹条部１４ｃの幅が固定で、その板外嵌凹条部１４ｃに嵌合する間仕切り板６の板厚が所定の板厚専用で、多少、板厚が薄いと間仕切り板６ががたつき、不安定で板厚違いに対応せず、このことから汎用又は有り合せのパネルを使用できないという課題があった。【００１１】  さらに、特許文献３のアッパースクリーン付き什器並びにこれに使用する連結具は、アッパースクリーン５の上コーナー部に連結具８の嵌合部８ａを嵌合連結するもので、その嵌合連結するとき、こじれないようにするため嵌合溝１７の内側面に複数条の突条１８（或いは溝条）を形成してこじれを防止するとしているが、逆に抜き方向の力が作用すると、突条１８が嵌合溝１７の内側面に対して直角に突出していることから、該突条１８の接触面とアッパースクリーン５の接触面が小さく、接触抵抗も小さくなり、そのことで容易に抜け、その結果、連結力が弱くなり、このことから嵌合のときのがたつきがなく、また容易に外れない連結具が課題となっていた。【００１２】  また従来、小さな囲い及びトイハウスなどは、所定形状に製作された物を折りたたみ提供し、また連結体を有するパネルを該連結体にて連結して所定形状に組立て遊んでいたが、その激しい遊びにパネルと連結体の接合部の角でパネルが折れ曲がり痛みが激しく、ある程度パネルを弾力支持して折れ曲がりにくいものが望まれていた。
【課題を解決するための手段】
【００１３】  本発明は、上記課題を有効に達成するために第１の解決手段として、長手方向に連続する断面略Ｕ字状の連結具本体であって、該断面略Ｕ字状に区画される内側を嵌合部として形成すると共に該嵌合部の内面で対向する双方の面に、それぞれ略板状で軟質の弾発変形可能な粘着質を有する粘着支持部を奥斜め方向に突出形成し、また連結具本体の該略Ｕ字状の外部曲面側の略中央部近傍から連結係止部を突出形成することで、
パネル縁部を嵌合部に挿嵌することで、若干の板厚違いに対応して粘着保持すると共に引き抜き方向の力に対して突っ張り状に支持し、またそれを連結して間仕切りなどとする。【００１４】  また、第２の解決手段は、連結具本体の粘着支持部が突出又は埋没可能となるように、該粘着支持部に対応する凹部を形成したことで、
嵌合部幅の範囲内のパネル厚に対応して粘着支持片が変形してパネルなどを保持するように作用すると共に引き抜き方向の力に対して突っ張り状に支持する。
【発明の効果】
【００１５】  本発明は、上述したそれぞれの手段によって有効な効果が得られるようにしたもので、特に第１の解決手段は、長手方向に連続する断面略Ｕ字状の連結具本体であって、該断面略Ｕ字状に区画される内側を嵌合部として形成すると共に該嵌合部の内面で対向する双方の面に、それぞれ略板状で軟質の弾発変形可能な粘着質を有する粘着支持部を奥斜め方向に突出形成し、また連結具本体の該略Ｕ字状の外部曲面側の略中央部近傍から連結係止部を突出形成しているので、
パネル縁部を嵌合部に挿嵌するだけで、嵌合部の対向する双方の面に形成された粘着支持片により粘着支持されて嵌合接続できるので、挿入するだけの簡易にパネルを接続でき、また若干の板厚違いに対応して粘着支持片が、粘着保持すると共に引き抜き方向の力に対して突っ張り状に支持するので、嵌合部より薄いパネルでも容易に外れることがなく嵌合接続できる。【００１６】  また、連結具本体とパネルの接続の強度において、該連結具本体の挿入口近傍のパネルは、該挿入口が支点となり折れ曲がりやすく、特に薄いパネルであればそれが顕著に表れ、その折れ曲がりを嵌合部の対向する双方の面の中間点で粘着支持片しているので、該挿入口の支点となる部分とパネルに隙間ができ、且つ柔軟支持されるので、折れ曲がりが緩和され折れ曲がり防止となり、特にトイハウスなど激しい使用にも対応でき丈夫で長く使用できる。【００１７】  さらに、粘着支持片が軟質の弾発変形可能な粘着質で、奥斜め方向に突出させて形成しているので、パネル縁部を嵌合部に挿嵌するだけで容易に接続ができ、従来のように両面テープを設ける必要がなく、製造が容易でコストダウンとなり、またテープの剥離紙を剥がすこともなく連結作業の効率化ができ、さらにその剥離紙が発生しないので環境にも配慮できる。【００１８】  また、第２の解決手段は、連結具本体の粘着支持部が突出又は埋没可能となるように、該粘着支持部に対応する凹部を形成しているので、
嵌合部幅の範囲内でパネル厚に対応して、粘着支持片が凹部に埋没するように変形して粘着保持するので、所定範囲でパネル厚が選択できると共に嵌合部幅より薄いパネルも剥がれず、嵌合接続が外れることなく確実に粘着される。【００１９】  さらに、嵌合部の粘着支持が中間支持であることから薄パネルであると、その薄い分左右の隙間の幅が広く柔軟に粘着支持されるので、折れ曲がりが最小限に止められると共に引き抜き方向の力に対して突っ張り状に支持するので、薄パネルでも容易に外れることがない。【００２０】  加えて、連結具本体の粘着支持片が、パネルを柔軟に弾力支持し、該パネルが折れ曲がりにくく、また引き抜きにも強く、よってパネルを連結具本体により連結組み立てして小さな囲い及びトイハウスなどに使用したとき、激しい使用に対しても多少柔軟に弾力変形するので、子供の遊びにも耐えられ安定して使用できる。
よって、本発明は、実用上著大な効果を奏する。
【発明を実施するための最良の形態】
【００２１】  比較的薄手のパネルに対応した連結具本体で、該パネルを接続連結するとき、嵌合部に挿嵌するだけで容易に接続させ、且つ柔軟に粘着支持させることでパネルが容易に折れ曲がることなく、また所定範囲のパネル厚違いにも容易に剥がれることがなく粘着してパネル厚に対応でき、その接続に対して引き抜き方向の力に、突っ張り状に粘着支持するので、薄パネルでも容易に外れることがない接続を実現させた。
【実施例】
【００２２】  本発明の実施例を図面に基づいて説明すると、図１において、１は連結具で、該連結具１は、長手方向に連続する断面略Ｕ字状の連結具本体２と該連結具本体２の略Ｕ字状の略Ｕ字状の曲部先端から突出するように、連結係止部３を形成し、該連結係止部３は、上述長手方向に連続する連結具１の連結具本体２に沿って板状に形成され、該先端部には断面略キノコ状で連結係止する係止頭部３ａを形成している。【００２３】  そして、連結具本体２の断面略Ｕ字状の内側に区画される内面を嵌合部４として形成すると共に該嵌合部４の内面で対向する面に、それぞれ略板状で軟質の弾発変形可能な粘着質で形成された粘着支持片５，５，…を奥斜め方向に突出させ、それぞれ各面に先端から奥端の間で二列対向させて断面略ハの字状に形成している。【００２４】  また、嵌合部４の粘着支持片５，５，…が揺動したとき、該粘着支持片５，５，…が埋没状に嵌入する凹陥部６，６，…を形成し、後述するパネル７の板厚に対応する量、該粘着支持片５，５，…が凹陥部６，６，…に埋没状に嵌入される。
そして、図中、８は多方面から受ける緩衝用の緩衝穴部８である。【００２５】  なお、連結具本体２は熱可塑性エラストマーを用い、また粘着支持片５，５，…は、粘着性の熱可塑性エラストマーを用いて、二種類の材料を使用する二色の押出し成型で、連結具１として一体的に形成される。【００２６】  また、図２に示す連結具１ａは、上述連結具１と略同様で相違において、粘着支持片５，５，…及び凹陥部６，６，…が、一対の粘着支持片５，５及び凹陥部６，６，…を形成して、嵌合部４の区画される内面幅より比較的薄い板厚を有するパネル７にコンパクトに接続使用するものに最適なサイズである。【００２７】  しかして、連結具１の使用において、図３及び図４に示すように、連結具１の嵌合部４にパネル７の端縁部を挿入嵌合させると共に粘着支持片５，５，…で粘着嵌合保持させ、該挿入嵌合は、図１の面対向する粘着支持片５，５，…の略ハの字状の広がり部分からパネル７の端縁部を挿入嵌合して粘着保持させ、粘着後引き抜き方向に対して上記略ハの字状の粘着支持片５，５，…が突っ張り状に支持するので、容易に外れず保持され、そしてパネル７の他の端縁部も同様に嵌合保持し、両端縁部に連結具１を設けることで連結用パネル９として形成される。【００２８】  また、その挿入嵌合するパネル７の板厚が、嵌合部４の区画される内面幅と略同幅の場合、図３に示すように、粘着支持片５，５，…が凹陥部６，６，…に埋没した状態まで押し広げられてパネル７を粘着嵌合保持している。【００２９】  それに対して、パネル７の板厚が上述幅より薄い場合、図４に示すように、粘着支持片５，５，…が板厚に比例した量、凹陥部６，６，…に埋没した状態で、且つ粘着支持片５，５，…が嵌合部４の区画された内面から略ハの字状に略突張った状態で、その嵌合部４で中間保持し、嵌合部４の粘着支持が中間点であることから折れ曲がりやすい薄いパネル７の、その薄い分、左右の空き幅が広くなり、柔軟に粘着支持され、折れ曲がりが最小限に止められ、その状態で該パネル７を粘着保持している。【００３０】  さらに、図５に示すように、上述図３の実施例の連結具１と略同様に、パネル７の端縁部に連結具１ａを一対の粘着支持片５，５で粘着保持し、他端縁部も同様に嵌合接続してパネル７の両端縁部に設けることで、連結用パネル９ａとして形成している。【００３１】  そして、図６に示すように、パネル７の板厚が薄い場合、上述図４の実施例と略同様で、差違において、一対の粘着支持片５，５が略ハの字状に略突張った状態でパネル７を中間保持することにより、図６の矢印で図示するように、該パネル７が所定範囲で揺動可能に粘着保持されるので、連結具１ａにパネル７を嵌合接続したとき、連結具１ａに対してパネル７が折れ曲がりにくく接続される。【００３２】  しかして、上述のように形成した連結用パネル９又は連結用パネル９ａを連結して間仕切りなどとして使用するとき、図７及び図９に示す連結支柱１０，１１により連結して所定形状に間仕切りとして使用する。【００３３】  そこで先ず、図７に示す該連結支柱１０は、棒状で上述連結具本体２の係止頭部３ａに対応する凹状係止部１０ａ，１０ａをそれぞれ反対周面側の長手方向に形成し、二方向の連結用として使用する。【００３４】  そして、図８に示すように、パネル７に設けられた連結具１，１の連結係止体３，３の係止頭部３ａ，３ａが、連結支柱１０の凹状係止部１０ａ，１０ａに嵌合され、直線の間仕切りなどとして形成される。【００３５】  また、図９に示す該連結支柱１１は、上述連結支柱１０と略同様で、差違において、凹状係止部１１ａ，１１ａ，…がそれぞれ四等分で配置形成され、図１０に示すように略Ｔ字状に連結具１，１，１を連結して所定区画に分割形成される間仕切りなどとして使用される。【００３６】  そして、上述間仕切りなどとして所定区画に分割形成される実施例として、図１１に示すように、連結用パネル９（ここでは連結用パネル９のみを示す。）と連結支柱１０，１１を組み合わせて所定区画に分割する間仕切りとして使用する。【００３７】  なお、図１１の１２は、自立用脚で、該自立用脚１２は、図１２に示すように、連結用パネル９のパネル７から左右に突出させて連結用パネル９が転倒しないように端部近傍に設けられる。【００３８】  また、凹状係止部１０ａ及び凹状係止部１１ａのように、連結の方向が二方向又は四方向としているが、使用する間仕切り又はトイハウスなどの遊び道具など、それぞれの用途に対応して、三方向など適宜、別の連結支柱を使用しても良いが、特に図示は省略した。【００３９】  さらに、連結具１，１ａの連結係止体３，３の係止頭部３ａ，３ａを断面略キノコ状を他の形状に換えて形成し、又は連結支柱１０，１１を使用せず前記、連結係止体３，３の係止頭部３ａ，３ａ同士で係止できるような係合関係の係止部として形成しても好ましいが、図示は省略した。
【図面の簡単な説明】
【００４０】
【図１】  本発明の実施例の連結具１の端面図である。
【図２】  本発明の実施例の連結具１ａの端面図である。
【図３】  本発明の実施例の連結具１をパネル７に接続した連結用パネル８の端面図である。
【図４】  本発明の実施例の連結具１を薄パネル７に接続した連結用パネル８の端面図である。
【図５】  本発明の実施例の連結具１ａをパネル７に接続した要部の端面図である。
【図６】  本発明の実施例の連結具１ａを薄パネル７に接続した要部の端面図である。
【図７】  本発明の連結支柱１０の連結状況を示す要部の端面図である。
【図８】  本発明の連結支柱１０の連結した状態を示す要部の端面図である。
【図９】  本発明の他の実施例の連結支柱１１の平面図である。
【図１０】  本発明の他の実施例の連結支柱１１の連結状態を示す要部の平面図である。
【図１１】  本発明の使用状態を示す平面図である。
【図１２】  本発明の使用状態の要部の自立用脚１２を示す正面図である。
【符号の説明】
【００４１】    １，１ａ  連結具
２  連結具本体
３  連結係止部
４  嵌合部
５  粘着支持片
６  凹陥部
７  パネル
【図１】
2010106647.tif 000003
【図２】
2010106647.tif 000004
【図３】
2010106647.tif 000005
【図４】
2010106647.tif 000006
【図５】
2010106647.tif 000007
【図６】
2010106647.tif 000008
【図７】
2010106647.tif 000009
【図８】
2010106647.tif 000010
【図９】
2010106647.tif 000011
【図１０】
2010106647.tif 000012
【図１１】
2010106647.tif 000013
【図１２】
2010106647.tif 000014